(57)【要約】      （修正有）【課題】金融商品の指値注文において、顧客が煩雑な注文手続を行うことなく複数のイフダンオーダーを行うことを可能にし、顧客の利便性を高める。【解決手段】注文情報取引管理装置１の注文情報生成部１６は、一の売買注文申込情報に基づいて、同一種類の複数の前記金融商品をイフダンオーダーによる指値注文する注文情報群を生成する。約定情報生成部１４は、一の注文情報群を形成する第一順位、第二順位の注文情報に基づいて金融商品を約定する。約定が完了すると、注文情報生成部１６は新たな注文情報群を生成し、約定情報生成部１４は新たな注文情報群に基づいて約定を行う。注文情報群の生成処理、注文情報の約定処理は、売買注文申込情報において設定された回数分繰り返される。【選択図】図１
2008130002.tif 000002
【特許請求の範囲】
【請求項１】
オンライン端末としてのクライアント端末を用いて行われる金融商品の売買取引を管理する金融商品取引管理装置であって、
前記クライアント端末から送信された、前記金融商品の売買注文を行うための売買注文申込情報を受け付ける注文入力受付手段と、
該注文入力受付手段が受け付けた前記売買注文申込情報に基づいて金融商品の注文情報を生成する注文情報生成手段と、
前記注文情報生成手段が生成した前記注文情報を記録する注文情報記録手段と、
前記注文情報に基づいて前記金融商品の約定を行う約定情報生成手段とを備え、
前記注文情報生成手段は、一の前記売買注文申込情報に基づいて、同一種類の前記金融商品を二つの価格について指値注文する前記注文情報からなる注文情報群を複数生成し、該注文情報群を形成する個々の前記注文情報について価格ごとに第一順位、第二順位の順位を付けると共に前記第一順位の前記注文情報を有効な注文情報、前記第二順位の注文情報を無効な注文情報とし、
前記注文情報記録手段には前記注文情報群が記録され、
前記約定情報生成手段は、前記注文情報記録手段に記録された前記注文情報群を形成する個々の前記注文情報のうち前記第一順位の前記注文情報に基づいて前記金融商品の約定を行い、該約定と共に前記第二順位の前記注文情報を無効から有効に変更する処理を複数回繰り返すことを特徴とする金融商品取引管理装置。
【請求項２】
前記注文情報生成手段は、前記第一順位の前記注文情報を新規の指値注文の注文情報として生成すると共に、前記第二順位の前記注文情報を決済の指値注文の注文情報として生成することを特徴とする請求項１に記載の金融商品取引管理装置。
【請求項３】
前記注文情報生成手段は、前記第一順位の前記注文情報に、通貨ペア情報、売買方向情報、注文金額情報、注文価格情報、注文期限情報を属性情報として含めると共に、前記第二順位の前記注文情報に、注文価格情報を属性情報として含めることを特徴とする請求項１又は２に記載の金融商品取引管理装置。
【請求項４】
特定顧客の預金残高情報を記録する顧客口座情報記録手段を備え、
前記注文情報生成手段は、前記預金残高情報と前記注文情報の前記属性情報としての前記注文価格情報とを比較し、前記預金残高情報の値が前記注文価格情報の値以上である場合、前記注文情報群を生成することを特徴とする請求項３に記載の金融商品取引管理装置。
【請求項５】
前記約定情報生成手段は、一旦成立した前記金融商品の注文における特定の前記注文情報群を形成する前記第一順位の前記注文情報又は前記第二順位の前記注文情報のうち何れか一方に対するキャンセル要求があった場合、該キャンセル要求のあった前記注文情報が含まれる前記注文情報群を全てキャンセル処理することを特徴とする請求項１乃至４の何れか一つに記載の金融商品取引管理装置。
【請求項６】
前記約定情報生成手段は、一旦成立した前記金融商品の注文における特定の前記注文情報群を形成する前記第一順位の前記注文情報又は前記第二順位の前記注文情報のうち何れか一方に対するキャンセル要求があった場合、該キャンセル要求のあった前記注文情報が含まれる前記注文情報群を生成した前記売買注文申込情報に基づいて生成された全ての前記注文情報群をキャンセル処理することを特徴とする請求項１乃至４の何れか一つに記載の金融商品取引管理装置。
【請求項７】
前記金融商品は外国為替であることを特徴とする請求項１乃至６の何れかに記載の金融商品取引管理装置。
【請求項８】
コンピュータを請求項１乃至７の何れか一つに記載の金融商品取引管理装置として機能させることを特徴とするプログラム。
【発明の詳細な説明】
【技術分野】
【０００１】
本発明は、外国為替等、金融商品の取引を管理、支援する技術に関する。
【背景技術】
【０００２】
外国為替等の金融商品の取引方法として、注文時の価格で取引を行う成行注文の他に、指値注文が知られている。この指値注文とは、予め顧客から売買値段の指定を受ける注文形態のことであり、金融商品の取扱業者は対象となる金融商品が指定された金額まで下がったときに当該金融商品の買い注文を行い、あるいは、指定された金額まで上がったときに当該金融商品の売り注文を行う。従来、この金融商品の指値注文をコンピュータシステムを用いて行う発明が知られている（例えば、特許文献１参照）。
【特許文献１】特開２００６−９９７８７号公報
【発明の開示】
【発明が解決しようとする課題】
【０００３】
ここで、金融商品の指値注文においては、イフダンオーダー（順位のある２つの注文を同時に出し、第一順位の注文（以下「第一注文」と称する。）が成立したら、自動的に第二順位の注文（以下「第二注文」と称する。）が有効になる注文形式のこと。本明細書において同じ。）が行われることも多い、しかし、引用文献１に記載の発明においては、イフダンオーダーの指値注文に対応できないという問題がある。また、一の顧客が特定の金融商品について複数のイフダンオーダーを行う場合もある。しかし、引用文献１に記載の発明においては、システムを利用する顧客が複数のイフダンオーダーを個別に注文していかねばならず、顧客の注文手続が煩雑になるという問題がある。
【０００４】
本発明は上記の問題に鑑みてなされたものであり、金融商品の指値注文において、システムを利用する顧客が煩雑な注文手続を行うことなく複数のイフダンオーダーを行うことができ、システムを利用する顧客の利便性を高めることができる金融商品取引管理装置を提供することを課題としている。
【課題を解決するための手段】
【０００５】
かかる課題を達成するために、請求項１に記載の発明は、オンライン端末としてのクライアント端末を用いて行われる金融商品の売買取引を管理する金融商品取引管理装置であって、前記クライアント端末から送信された、前記金融商品の売買注文を行うための売買注文申込情報を受け付ける注文入力受付手段と、該注文入力受付手段が受け付けた前記売買注文申込情報に基づいて金融商品の注文情報を生成する注文情報生成手段と、前記注文情報生成手段が生成した前記注文情報を記録する注文情報記録手段と、前記注文情報に基づいて前記金融商品の約定を行う約定情報生成手段とを備え、前記注文情報生成手段は、一の前記売買注文申込情報に基づいて、同一種類の前記金融商品を二つの価格について指値注文する前記注文情報からなる注文情報群を複数生成し、該注文情報群を形成する個々の前記注文情報について価格ごとに第一順位、第二順位の順位を付けると共に前記第一順位の前記注文情報を有効な注文情報、前記第二順位の注文情報を無効な注文情報とし、前記注文情報記録手段には前記注文情報群が記録され、前記約定情報生成手段は、前記注文情報記録手段に記録された前記注文情報群を形成する個々の前記注文情報のうち前記第一順位の前記注文情報に基づいて前記金融商品の約定を行い、該約定と共に前記第二順位の前記注文情報を無効から有効に変更する処理を複数回繰り返すことを特徴とする。
【０００６】
請求項２に記載の発明は、請求項１に記載の構成に加え、前記注文情報生成手段は、前記第一順位の前記注文情報を新規の指値注文の注文情報として生成すると共に、前記第二順位の前記注文情報を決済の指値注文の注文情報として生成することを特徴とする。
【０００７】
請求項３に記載の発明は、請求項１又は２に記載の構成に加え、前記注文情報生成手段は、前記第一順位の前記注文情報に、通貨ペア情報、売買方向情報、注文金額情報、注文価格情報、注文期限情報を属性情報として含めると共に、前記第二順位の前記注文情報に、注文価格情報を属性情報として含めることを特徴とする。
【０００８】
請求項４に記載の発明は、請求項３に記載の構成に加え、特定顧客の預金残高情報を記録する顧客口座情報記録手段を備え、前記注文情報生成手段は、前記預金残高情報と前記注文情報の前記属性情報としての前記注文価格情報とを比較し、前記預金残高情報の値が前記注文価格情報の値以上である場合、前記注文情報群を生成することを特徴とする。
【０００９】
請求項５に記載の発明は、請求項１乃至４の何れか一つに記載の構成に加え、前記約定情報生成手段は、一旦成立した前記金融商品の注文における特定の前記注文情報群を形成する前記第一順位の前記注文情報又は前記第二順位の前記注文情報のうち何れか一方に対するキャンセル要求があった場合、該キャンセル要求のあった前記注文情報群を全てキャンセル処理することを特徴とする。
【００１０】
請求項６に記載の発明は、請求項１乃至４の何れか一つに記載の構成に加え、前記約定情報生成手段は、一旦成立した前記金融商品の注文における特定の前記注文情報群を形成する前記第一順位の前記注文情報又は前記第二順位の前記注文情報のうち何れか一方に対するキャンセル要求があった場合、該キャンセル要求のあった前記注文情報が含まれる前記注文情報群を生成した前記売買注文申込情報に基づいて生成された全ての前記注文情報群をキャンセル処理することを特徴とする。
【００１１】
請求項７に記載の発明は、請求項１乃至６に記載の構成に加え、前記金融商品は外国為替であることを特徴とする。
【００１２】
請求項８に記載の発明は、プログラムであって、コンピュータを請求項１乃至７の何れか一つに記載の金融商品取引管理装置として機能させることを特徴とする。
【発明の効果】
【００１３】
請求項１に記載の発明によれば、金融商品取引管理装置は、クライアント端末から送信された、金融商品の売買注文を行うための売買注文申込情報を受け付ける注文入力受付手段と、注文入力受付手段が受け付けた売買注文申込情報に基づいて金融商品の注文情報を生成する注文情報生成手段と、注文情報生成手段が生成した注文情報を記録する注文情報記録手段と、注文情報に基づいて金融商品の約定を行う約定情報生成手段とを備え、注文情報生成手段は、一の売買注文申込情報に基づいて、同一種類の金融商品を二つの価格について指値注文する注文情報からなる注文情報群を複数生成し、注文情報群を形成する個々の注文情報について価格ごとに第一順位、第二順位の順位を付けると共に第一順位の注文情報を有効な注文情報、第二順位の注文情報を無効な注文情報とすることにより、金融商品を売買する際、クライアント端末側で一の注文手続きを行うことで、同一種類の複数価格の金融商品を複数のイフダンオーダーによって注文できる。これにより、指値注文を行う顧客の利便性を向上させることができる。また、注文情報記録手段には注文情報群が記録され、約定情報生成手段は注文情報記録手段に記録された注文情報群を形成する個々の注文情報のうち第一順位の注文情報に基づいて金融商品の約定を行い、約定と共に第二順位の注文情報を無効から有効に変更することにより、クライアント端末から受信した一の指示に基づいて、コンピュータシステム上で複数のイフダンオーダーによる取引を実現できる。これにより、金融商品の指値注文において、システムを利用する顧客が煩雑な注文手続を行うことなく複数のイフダンオーダーを行うことを可能にし、システムを利用する顧客の利便性を高めることができる。
【００１４】
請求項２に記載の発明によれば、注文情報生成手段は、第一順位の注文情報を新規の指値注文の注文情報として生成することにより、注文内容を画一化し、システム内における情報処理の煩雑化を防止してシステム構成の簡素化を図ると共に、注文手続の煩雑化を防止し、システムを利用する顧客の利便性を一層高めることができる。また、第二順位の注文情報を決済の指値注文の注文情報として生成することにより、第一順位の注文情報によって生じた注文による利益を第二順位の注文情報によって逐次確定させ、注文手続やシステム内における情報処理の煩雑化を防止できる。
【００１５】
請求項３に記載の発明によれば、注文情報生成手段は、第一順位の注文情報に、通貨ペア情報、売買方向情報、注文金額情報、注文価格情報、注文期限情報を属性情報として含めると共に、第二順位の注文情報に、注文価格情報を属性情報として含めることにより、イフダンオーダーによる指値注文を特定するために必要不可欠な情報に基づいて各注文情報を形成できる。
【００１６】
請求項４に記載の発明によれば、特定顧客の預金残高情報を記録する顧客口座情報記録手段を備え、注文情報生成手段は、預金残高情報と注文情報の属性情報としての注文価格情報とを比較し、預金残高情報の値が注文価格情報の値以上である場合、注文情報群を生成することにより、支払いが確実にできる場合にのみイフダンオーダーによる指値注文を受け付け、支払い不能による商取引上の支障が生ずることなくシステムを運用できる。
【００１７】
請求項５に記載の発明によれば、約定情報生成手段は、一旦成立した金融商品の注文における特定の注文情報群を形成する第一順位の注文情報又は第二順位の注文情報のうち何れか一方に対するキャンセル要求があった場合、キャンセル要求のあった注文情報群を全てキャンセル処理することにより、イフダンオーダーによる指値注文の取扱が煩雑化することを防止できる。これにより、システムを利用する顧客の利便性を一層高めつつ、システム構成及びシステムにおける情報処理の複雑化を防止できる。
【００１８】
請求項６に記載の発明によれば、約定情報生成手段は、一旦成立した金融商品の注文における特定の注文情報群を形成する第一順位の注文情報又は第二順位の注文情報のうち何れか一方に対するキャンセル要求があった場合、キャンセル要求のあった注文情報が含まれる注文情報群を生成した売買注文申込情報に基づいて生成された全ての注文情報群をキャンセル処理することにより、イフダンオーダーによる指値注文の取扱が煩雑化することを防止できる。これにより、システムを利用する顧客の利便性を一層高めつつ、システム構成及びシステムにおける情報処理の複雑化を防止できる。
【００１９】
請求項７に記載の発明によれば、金融商品は外国為替であることにより、イフダンオーダーによって指値注文する需要の高い金融商品について本発明を適用し、システムを利用する顧客の利便性を一層高めることができる。
【００２０】
請求項８に記載の発明によれば、本発明の金融商品取引管理装置をプログラム化し、多様なコンピュータハードウェア上で実現させることができる。
【発明を実施するための最良の形態】
【００２１】
以下、この発明の一の実施形態について図面を参照して説明する。
【００２２】
図１は、本実施形態の金融商品取引管理システムのシステム構成図及び機能ブロック図である。同図に示すとおり、金融商品取引管理システム１Ａは、金融商品取引管理装置１と、ｎ個（ｎ≧１）のクライアント端末２１〜２ｎとを備えており、金融商品取引管理装置１とクライアント端末２１〜２ｎは、ＷＡＮ（Wide Area Network）としてのインターネット３を介して相互に交信可能である。本実施形態の金融商品取引管理システム１Ａは、金融商品として外国為替を取扱う。
【００２３】
金融商品取引管理装置１は、金融商品の取扱業者が管理し運用するサーバコンピュータであり、Ｗｅｂサーバ機能、大容量のデータを保存するデータベース機能を備えている。クライアント端末２１，・・・，２ｎは、金融商品の売買を行う個人又は法人が所持し使用する、データ通信機能を有する通信端末であって、パーソナルコンピュータ、携帯電話端末等がこれに該当する。クライアント端末２１，・・・，２ｎは、マウスやキーボード等各種指示を入力するために用いられる操作部２１１，・・・，２１ｎ、ＬＣＤ（Liquid Crystal Display）等からなり操作部２１１，・・・，２１ｎから入力された各種指示等や各種画像を表示する表示部２２１，・・・，２２ｎを有している。なお、クライアント端末２１，・・・，２ｎ、操作部２１１，・・・，２１ｎ、表示部２２１，・・・，２２ｎは同じ構成を持つので、以下、区別する必要がある場合を除き、クライアント端末２、操作部２１、表示部２２とする。
【００２４】
図１には図示しないが、金融商品取引管理装置１は少なくとも１のＣＰＵ（Central Processing Unit、中央処理装置）、及び、ＣＰＵの作業領域として機能するＲＡＭ（Random Access Memory）、起動用ブートプログラム等が記録されたＲＯＭ（Read Only Memory）、各種プログラムやデータ等が記録されるハードディスク等の補助記憶装置、データの送受信に用いる通信インターフェース等が設けられている。補助記憶装置には、ＯＳ（Operating System）用プログラム、各種アプリケーションプログラム、データベースに記録されたデータ等が記録されており、これらのプログラムやデータはＣＰＵの演算処理により、ハードウェア資源と協働して各種機能を実現する。
【００２５】
図１に示す通り、金融商品取引管理装置１は、上述した各種プログラムとハードウェア資源とに基づいて実現される機能手段としてのデータ処理部１０、及び、データ処理部１０にて処理される各種データが記録されるデータベース１８を有する。データ処理部１０は金融商品取引管理装置１において用いる各種データの生成、加工等の処理を行うものであり、更に、同じく機能手段としてのフロントページ配信部１１、注文入力受付部（注文入力受付手段）１２、入出金情報生成部１３、約定情報生成部（約定情報生成手段）１４、口座情報生成部１５、注文情報生成部（注文情報生成手段）１６、データベース（ＤＢ）接続基底部１７、価格情報受信部１９を有している。
【００２６】
注文入力受付部１２は、クライアント端末２から入力された各種の注文に関するデータを受け付け、金融商品の注文を成立させるために必要な各種処理を行う。
【００２７】
入手金情報生成部１３は、クライアント端末２から入出金のリクエストを受け付け、リクエストに基づいて入出金の一覧表を作成する。
【００２８】
注文情報生成部１６は、注文入力受付部１２が処理した情報に基づいて、成立した金融商品の注文に関する情報を生成する。ここでの注文には、いわゆる成行注文、指値注文に加え、イフダンオーダーも含まれる。
【００２９】
約定情報生成部１４は、注文情報生成部１６が生成した注文に基づく約定処理、及び、完了した約定処理に関する情報を顧客のクライアント端末２に送るための処理を行う。なお、ここでの「約定」とは、顧客の注文に基づいて金融商品の売買を成立されるための各種の手続並びに処理のことをいう。
【００３０】
口座情報生成部１５は、顧客の預金残高情報を生成し、当該預金残高情報を証拠金情報（即ち、注文の約定を実現できることを裏付けるための情報）として管理する機能を有する。なお、口座情報生成部１５において生成される預金残高に関する情報は、現実の預金残高と整合性を取るために、銀行等の金融機関が提供する、顧客の現実の預金残高に関する情報と定期的に照合される。
【００３１】
データベース接続基底部１７は、データ処理部１０において生成、加工処理されたデータとデータベース１８にて記録されるデータとの変換（例えば論理的データ構造と物理的データ構造との相互変換）を行うと共に、データ処理部１０とデータベース１８との間でデータを交信するために必要な処理を行う。
【００３２】
データベース１８は、金融商品取引管理装置１にて用いられるデータを記録する。本実施形態におけるデータベース１８はリレーショナルデータベースによって形成するが、例えばオブジェクトデータベース等、大量のデータの記録や書換えに適したものであればどのような形式を用いてもよい。データベース１８には、注文テーブル（注文情報記録手段）１８１、顧客口座情報テーブル１８２、通過ペア注文条件テーブル１８３、シーケンス番号テーブル１８４が記録されている。シーケンス番号テーブル１８４には注文情報（後述）ごとに一意に付されるシーケンス番号が記録される。注文テーブル１８１、顧客テーブル１８２、通過ペア注文条件テーブル１８３の詳細については後述する。
【００３３】
フロントページ配信部１１は、クライアント端末２の表示部２２にされる画像データを作成し、作成した画像データをクライアント端末２に送信する。
【００３４】
価格情報受信部１９は、金融商品取引管理装置１にて扱う金融商品の価格についての情報を取得し、取得した情報に対し、データ処理部１０にて用いるために必要な処理を行う。本実施形態においては、価格情報受信部１９は外為の相場価格の情報を取得する。
【００３５】
図２Ａは注文テーブル１８１のフィールド定義の模式図、図２Ｂは顧客口座情報テーブル１８２のフィールド定義の模式図、図２Ｃは通貨ペア注文条件テーブル１８３のフィールド定義の模式図である。これらの図に示す通り、各テーブル１８１，１８２，１８３は項目数分のフィールドを有し、フィールドの名称（フィールド名）、文字や数値や日時等のデータ型（型）、ビット長等のデータ長（長さ）、空欄不可指定（Not Null）、デフォルト値の有無（デフォルト値）、データの項目名（備考）等が規定される。
【００３６】
上述の金融商品取引管理装置１においては、金融商品の指値取引が行われる際、一の予約注文によって、同一種類の複数の金融商品の指値注文を複数のイフダンオーダーによって行うことができる。
【００３７】
次に、本実施形態の金融商品取引管理システム１Ａにおけるイフダンオーダーによる指値注文の取引手順について説明する。
【００３８】
図３は、本実施形態の金融商品取引管理装置１における、イフダンオーダーによる指値注文を成立させる際の処理手順を示すフローチャートである。以下、同図に基づいて注文時の処理手順を説明する。
【００３９】
金融商品取引管理システム１Ａを利用する顧客は、クライアント端末２を用いて金融商品取引管理装置１にアクセスする。金融商品取引管理装置１のフロントページ配信部１１は、アクセスのあったクライアント端末２の表示部２２に、図５に示す入力画面４０を表示させる。顧客は、操作部２１を用いて入力画面４０に注文内容のデータを入力する。具体的には、入力画面４０に対して下記（１）〜（５）の処理が行われることになる。
【００４０】
（１）顧客は、入力画面４０の上側から取引可能な通貨ペア（この入力画面４０では５種類の通貨ペア）ごとに設けられた売買希望入力ボタン４１１〜４１５の中から売買を希望する通貨ペアを選択しクリックする。例えば日本円で米国ドルを購入することを希望する顧客は、入力画面４０の米国ドル購入ボタン４１１ａをクリックする。
【００４１】
（２）次に顧客は、売買希望入力ボタン４１１〜４１５の下側に設けられた売買形態選択ボタン群４２から自らが希望する売買形態が表示されたボタンを選択しクリックする。図５の入力画面４０は、売買形態選択ボタン群４２の中から新規注文（即ち、新しくポジション（外貨の持高）を持つための注文）を選択する新規選択ボタン４２ａがクリックされた状態を示している。なお、本実施形態の金融商品取引管理装置１は新規注文にのみイフダンオーダーを適用するものとし、システム構成の簡素化、並びに顧客にとって利用し易いシステムの形成を図っている。
【００４２】
（３）次に顧客は、売買形態選択ボタン群４２の下側に設けられた注文条件・数量指定ボタン群４３の中からイフダンオーダーを指定するイフダンオーダー指定ボタン４３ａをクリックする。なお、本実施形態の金融商品取引管理装置１においてはイフダンオーダー指定ボタン４３ａ以外の選択ボタンがクリックされてもイフダンオーダーは行えないものとしている。
【００４３】
（４）イフダンオーダー指定ボタン４３ａがクリックされると、入力画面４０に条件設定欄４４が出現する。条件設定欄４４には、第一注文の価格を入力する第一注文価格入力欄４４ａ、第二注文の価格を入力する第二注文価格入力欄４４ｂ、一注文における一ポジションごとの金額を入力する金額入力欄４４ｃ、注文するポジションの数（この数は、後述する「注文情報群」の数に一致する。）を選択する注文個数選択欄４４ｄ、注文の有効期限を選択する有効期限選択欄４４ｅ、注文の形式が基本的な注文形式なのか特殊な注文形式なのかを選択する応用注文選択欄４４ｆが設けられており、顧客は、各入力欄４４ａ，４４ｂ，４４ｃに希望する数値を入力し、各選択欄４４ｄ，４４ｅ，４４ｆから希望する数値や期限や注文形式を選択する。図５の入力画面４０においては、各入力欄４４ａ，４４ｂ，４４ｃ及び各選択欄４４ｄ，４４ｅに、第一注文の価格が１１６．００ドル、第二注文の価格が１２０．００ドル、一ポジションが１０万ドル、注文するポジションの数が９個、有効期限が無期限、注文形式が、ポジションの数だけイフダンオーダーが繰り返される（リピート）形式である注文が記入、選択された状態を示している。
【００４４】
（５）各入力欄４４ａ，４４ｂ，４４ｃ及び各選択欄４４ｄ，４４ｅ，４４ｆに対する入力及び選択が完了したのち、顧客が入力画面４０の最下に設けられた注文確認ボタン４５ａをクリックすると、入力画面４０に入力されたデータはクライアント端末２から金融商品取引管理装置１に送信され、後述するステップＳ２の手順が行われる。なお、顧客が注文確認ボタン４５ａに代えてリセットボタン４５ｂをクリックすると、上記（１）〜（４）の処理は取り消され、入力画面４０は上記（１）が行われる前の状態に戻る。
【００４５】
上記（５）において注文確認ボタン４５ａをクリックされ、送信されたデータが金融商品取引管理装置１に供給されると、金融商品取引管理装置１の注文入力受付部１２は、入力された注文の内容を確認する。具体的には、有効期限選択欄４４ｅにおいて選択された期限、応用注文選択欄４４ｆにおいて選択された注文形式を確認し、さらに、供給されたデータの注文価格について検査を行う（ステップＳ２）。具体的には、売買希望入力ボタン４１１〜４１５において選択された通貨ペアの第一注文価格入力欄４４ａに入力された第一注文の価格と、価格情報受信部１９が受信した現在の為替相場価格との対比が行われる。注文入力受付部１２は、顧客が利益を得られる場合のみ、即ち、外国通貨を買う場合は第一注文の価格が現在の為替相場価格よりも低く、かつ第二注文の価格が現在の為替相場価格よりも高い場合のみを、外国通貨を売る場合は第一注文の価格が現在の為替相場価格よりも高く、かつ第二注文の価格が現在の為替相場価格よりも低い場合のみを、それぞれ適正価格と判断する。
【００４６】
第一注文の価格及び第二注文の価格が適正価格と判断された場合（ステップＳ３の“Ｎｏ”）、口座情報生成部１５が顧客口座情報テーブル１８２の当該顧客の証拠金情報を取得する。具体的には、図２Ｂに示す“amnt”フィールド１８２ａに記録された数値データが証拠金情報として取得される。
【００４７】
注文入力受付部１２は、取得された証拠金情報と顧客の注文総額（即ち、各入力欄４４ａ，４４ｂ，４４ｃに入力された数値及び注文個数選択欄４４ｄから選択された数値に基づいて算出される注文総額）とを対比し、証拠金の額が注文総額以上であるか否かを確認する。注文情報生成部１６は、証拠金の額が注文総額以上である場合（ステップＳ５の“Ｎｏ”）の場合にのみ、後述する「注文情報群」を生成する。これにより、顧客が確実に支払いができる場合にのみイフダンオーダーによる指値注文を受け付けることができる。
【００４８】
証拠金の額が注文総額以上である場合（ステップＳ５の“Ｎｏ”）、注文入力受付部１２は、通貨ペア注文条件テーブル１８３に記録されたデータ等を元に、注文条件が上述したもの以外のイフダンオーダーの各種条件を満たしているか否かを確認する（ステップＳ６）。
【００４９】
イフダンオーダーの各種条件を満たしていない場合（ステップＳ７の“Ｙｅｓ”）、注文入力受付部１２は入力された注文をエラーとして扱い、注文の受付を拒絶する（ステップＳ１０）。
【００５０】
イフダンオーダーの各種条件を満たしている場合であって（ステップＳ７の“Ｎｏ”）、注文条件が上述のイフダンオーダーによる指値注文に必要な条件を全て満たしているものと判定された場合、フロントページ配信部１１は、クライアント端末２の表示部２２に、確認画面（図示せず）を表示させる。確認画面（図示せず）には入力画面４０にて顧客によって入力、選択された注文条件が列記されており、列記された内容で間違いない場合にクリックする承認ボタン（図示せず）が設けられている。
【００５１】
顧客が操作部２１の操作により承認ボタン（図示せず）をクリックすると、金融商品取引管理装置１の注文情報生成部１６はステップＳ１にて入力されたデータに基づいて注文情報を生成する（ステップＳ８）。具体的には、上記手順において入力された複数のデータを、注文価格を単位としてまとめ、各情報の単位に、シーケンス番号テーブル１８４に記録された注文にシーケンス番号を付与することで各注文情報を形成する。なおこのとき、シーケンス番号テーブル１８４には、注文情報に使用されたシーケンス番号を未使用の番号と識別するための情報が付与される。一回のステップＳ８の手順にて形成される複数の注文情報は、同一種類の複数の金融商品を二つの価格（即ち、第一注文の価格と第二注文の価格）で一定の商品数ごとに指値注文する注文情報群（以下単に「注文情報群」と称する。）を形成する。注文情報群は一つずつ形成され、最大で注文個数選択欄４４ｄに入力された数だけ形成されることになる（詳しくは後述する）。
【００５２】
注文情報生成部１６は、生成された注文情報群を注文テーブル１８１に記録する（ステップＳ９）。具体的には、図２Ａに示す各フィールドに、該当する注文情報（即ち“備考”カラム１８１ａの項目に対応するデータ）が記録される。例えば、ステップＳ８にて付与されたシーケンス番号は“ord_seq”フィールド１８１ｂに記録される。“cust_seq”フィールド１８１ｃには顧客ごとに一意に定められた顧客番号が、“style_id”フィールド１８１ｄには商品名が記録される。“ccy_pair_id”フィールド１８１ｅには通貨ペア毎に一意に定められたＩＤ番号が記録される。このＩＤ番号と通貨ペアとの組合わせはデータベース中に別途設けられたＩＤテーブル（図示せず）中に記録されている。“buy_sell_id”フィールド１８１ｆには売り注文、買い注文のいずれであるかを示すデータ、“ord_rate”フィールド１８１ｇには注文価格、“limit_time”フィールド１８１ｈには注文価格が記録される。“ord_cond”フィールド１８１ｉには注文種別がイフダンオーダーであることを示す“１”が記録される。“new_close”フィールド１８１ｊには新規注文、継続注文のいずれであるかを示すデータが記録される。“ifd_ord_seq”フィールド１８１ｋにはイフダンオーダーのシーケンス番号が記録される。以上の手順より、本実施の形態におけるイフダンオーダーによる指値注文の注文処理は完了する。
【００５３】
注文処理が完了すると、注文情報生成部１６はまず最初の注文情報群（以下「第一の注文情報群」と称する。）を生成する。なお、この生成された時点において、注文情報群に含まれる、第一順位の注文情報としての第一注文情報５０ａは有効な注文情報（顧客から正式に依頼された指値注文のこと。本明細書において同じ。）として生成されているが、同じ注文情報群に含まれる、第二順位の注文情報としての第二注文情報は、無効な注文情報（即ち、顧客から正式に依頼を受けていない注文情報のこと。本明細書において同じ。）として生成されている。
【００５４】
フロントページ配信部１１は、クライアント端末２の表示部２２に図６の（ａ）にイメージ図を示す第一成立注文表示画面５０Ａを表示させる。同図に示す通り、第一成立注文表示画面５０Ａには、生成された第一の注文情報群に含まれる第一注文情報５１ａが表形式で表示される。
【００５５】
図６の（ａ）に示す第一注文情報５１ａは、注文価格が１ドル１１６．００円（即ち第一注文価格入力欄４４ａに入力された価格）である。また、注文金額は１０万円（即ち金額入力欄４４ｃに入力された金額）である。
【００５６】
なお、ステップＳ３において第一注文情報５１ａの注文価格、及び第二注文情報の注文価格のうち少なくとも何れか一方が不適正な価格と判断された場合（ステップＳ３の“Ｙｅｓ”）、又は、ステップＳ５において証拠金の額が注文総額未満であった場合（ステップＳ５の“Ｙｅｓ”）、注文入力受付部１２は入力された注文をエラーとして扱い、注文を拒絶する（ステップＳ１０）。
【００５７】
図４は、本実施形態の金融商品取引管理装置１における、イフダンオーダーによる指値注文の成立後の処理手順を示すフローチャートである。以下、同図に基づいて処理手順を説明する。
【００５８】
注文処理の完了後、金融商品取引管理装置１の価格情報受信部１９は為替相場の情報取得を継続する。そして、相場価格と特定ポジションの注文価格とが一致すると、約定情報生成部１４が当該ポジションの注文を約定させる（ステップＳ２１）。
【００５９】
図７に、本実施形態の金融商品取引管理システム１Ａにおける、指値注文に基づく約定を模式的に表したタイムチャートを示す。例えば、同図に示す通り、イフダンオーダーによる指値注文の注文処理が完了した時点ｔ１での米国ドルの相場購入価格７１が１ドル１１８．００円であったとする。指値注文完了後に米国ドルの相場価格が下がり、相場購入価格７１が１ドル１１６．００円になった時点ｔ２において、約定情報生成部１４は第一注文情報５１ａを約定させる処理を行う。
【００６０】
第一注文情報５１ａに基づく指値注文が約定すると、約定情報生成部１４はデータベース１８中の対応するデータを書き換える。具体的には、注文テーブル１８１の当該指値注文に関する注文情報のデータが削除され、顧客口座情報テーブル１８２の“amnt”フィールド１８２ａのデータが約定した価格分だけ増減される。
【００６１】
次に、第一注文情報５１ａに基づく指値注文が約定すると、約定情報生成部１４は、第一の注文情報群における第二注文情報５１ｂを無効な注文情報から有効な注文情報に変更する（ステップＳ２２）。そして、フロントページ配信部１１はクライアント端末２の表示部２２に、第一成立注文表示画面５０Ａに代えて、図６の（ｂ）にイメージ図を示す第二成立注文表示画面５０Ｂを表示させる。同図に示す通り、第二成立注文表示画面５０Ｂには、第一の注文情報群中の第二注文情報５１ｂが表形式で表示される。
【００６２】
図６の（ｂ）に示す第二注文情報５１ｂは、注文価格が１ドル１２０．００円（即ち第二注文価格入力欄４４ｂに入力された価格）である。また、注文金額は１０万円（即ち金額入力欄４４ｃに入力された金額）である。
【００６３】
この後、図７に示すように、米国ドルの相場購入価格が上昇し、特定時点ｔ３において米国ドルの相場購入価格７１が１ドル１２０．００円になると、約定情報生成部１４は第二注文情報５１ｂに基づく指値注文を約定させる処理を行う（ステップＳ２３）。そして、約定情報生成部１４はデータベース１８中の対応するデータを書き換える。これにより、顧客はｔ２時点の買い注文とｔ３時点の売り注文の差額分の利益を得られることになる。
【００６４】
第二注文情報５１ｂに基づく指値注文が約定すると、口座情報生成部１５が再度顧客口座情報テーブル１８２の当該顧客の証拠金情報を取得する。そして、注文入力受付部１２は、再度、取得された証拠金情報と顧客の注文総額とを対比し、証拠金の額が注文総額以上であるか否かを確認する（ステップＳ２５）。証拠金の額が注文総額を下回る場合（ステップＳ２６の“Ｙｅｓ”）には、注文総額以上になるまで処理は保留され、証拠金の額が注文総額以上である場合（ステップＳ２６の“Ｎｏ”）、注文情報生成部１６は新たな注文情報群（以下「第二の注文情報群」と称する。）を生成する（ステップＳ２７）。注文情報生成部１６は、ステップＳ９と同様に、生成された第二の注文情報群を注文テーブル１８１に記録する（ステップＳ２８）。ステップＳ２６において第二の注文情報群が生成されると、フロントページ配信部１１はクライアント端末２の表示部２２に、第二成立注文表示画面５０Ｂに代えて、第二の注文情報群の第一注文情報に基づく第一成立注文表示画面（図示せず）を表示させる。そして、ステップＳ２１以降の処理が繰り返される。
【００６５】
当該処理は、注文個数選択欄４４ｄに入力されたポジションの個数分の注文情報群が形成され、また、ステップＳ２１，Ｓ２３の処理が入力されたポジションの個数分繰り返されるまで継続し（ステップＳ２４の“Ｎｏ”）、これによって、図７に示す時点ｔ４，ｔ５，・・・の処理が行われる。そして、ステップＳ２１，Ｓ２３の処理が上記入力されたポジションの個数分繰り返された後（ステップＳ２４の“Ｙｅｓ”）、全ての処理手順が終了する。
【００６６】
なお、約定せずに注文期限５１ｃが経過した指値注文は全て取り消され、注文テーブル１８１から削除される。
【００６７】
なお、本実施形態の金融商品取引管理装置１は、クライアント端末２から一度成立した指値注文の価格及び金額の変更の要求があった場合、当該要求が不正要求であるものとして入力エラー扱いで処理する。これにより、価格や金額の頻繁な要求で金融商品の売買元である銀行側の業務が過大になることを防止できる。
【００６８】
一方、図５に示すクライアント端末２の入力画面４０において注文キャンセルボタン４６がクリックされて、一度成立したイフダンオーダーのキャンセル要求があった場合、金融商品取引管理装置１の約定情報生成部１４は、キャンセル要求のあったイフダンオーダーに含まれる注文情報群を抽出し、この注文情報群のうち約定未成立の注文情報を全てキャンセルされたものとして処理する。例えば、図７におけるｔ３とｔ４の間の時点で、クライアント端末２から第二の注文情報群に対するキャンセル要求、あるいは第一注文情報に対するキャンセル要求があった場合、第二の注文情報群はキャンセルされ、第三の注文情報群以降の注文情報群は生成されることなく処理が終了する。キャンセルされた注文情報群のデータや注文情報のデータは、注文テーブル１８１から削除される。
【００６９】
このように、一のキャンセル要求で、キャンセル要求のあった注文情報群を全てキャンセル処理し、また、キャンセル要求のあった注文情報が含まれる注文情報群を生成した売買注文申込情報に基づいて生成された全ての注文情報群をキャンセル処理することにより、イフダンオーダーによる指値注文の取扱が煩雑化することを防止できる。
【００７０】
なお、クライアント端末２から受けた注文が通常の成行注文（注文した時点の相場価格で金融商品の売買を行う取引方法）である場合には、ステップＳ８にて注文情報が生成されると即座に約定情報生成部１４が当該注文を約定させ、ステップＳ９の処理、及びステップＳ２１以降の処理は行われない。
【００７１】
以上示した通り、本実施形態の金融商品取引管理システム１Ａにおいては、同一種類の金融商品における複数のイフダンオーダーの指値注文を一の注文手続によって行うことができるため、システムを利用する顧客の利便性を高めることができる。
【００７２】
なお、上記実施形態の金融商品取引管理システム１Ａは、金融商品として外国為替を取扱うものとしたが、これに限定されず、他の金融商品、例えば株式、債券を取扱う金融商品取引管理システムにおいても本発明を適用できる。
【００７３】
上記実施形態は本発明の例示であり、本発明が上記実施の形態に限定されることを意味するものではないことは、いうまでもない。
【図面の簡単な説明】
【００７４】
【図１】本実施形態の金融商品取引管理システムにおけるシステム構成図及び金融商品取引管理装置の機能ブロック図である。
【図２Ａ】同上金融商品取引管理装置の注文テーブルのフィールド定義の模式図である。
【図２Ｂ】同上金融商品取引管理装置の顧客口座情報テーブルのフィールド定義の模式図である。
【図２Ｃ】同上金融商品取引管理装置の通貨ペア注文条件テーブルのフィールド定義の模式図である。
【図３】同上金融商品取引管理装置における、イフダンオーダーによる指値注文を成立させる際の処理手順を示すフローチャートである。
【図４】同上金融商品取引管理装置における、イフダンオーダーによる指値注文の成立後の処理手順を示すフローチャートである。
【図５】クライアント端末の表示部に表示される入力画面のイメージ図である。
【図６】（ａ）同上金融商品取引管理装置がクライアント端末の表示部に表示させる第一成立注文表示画面のイメージ図、（ｂ）同じく第二成立注文表示画面のイメージ図である。
【図７】同上金融商品取引管理装置における、イフダンオーダーによる指値注文に基づく約定処理を模式的に表したタイムチャートである。
【符号の説明】
【００７５】
１Ａ・・・金融商品取引管理システム
１・・・金融商品取引管理装置
２、２１〜２ｎ・・・クライアント端末
１２・・・注文入力受付部（注文入力受付手段）
１４・・・約定情報生成部（約定情報生成手段）
１６・・・注文情報生成部（注文情報生成手段）
５１ａ・・・第一注文情報（第一順位の注文情報）
５１ｂ・・・第二注文情報（第二順位の注文情報）
１８１・・・注文テーブル（注文情報記録手段）
【図１】
2008130002.tif 000003
【図２Ａ】
2008130002.tif 000004
【図２Ｂ】
2008130002.tif 000005
【図２Ｃ】
2008130002.tif 000006
【図３】
2008130002.tif 000007
【図４】
2008130002.tif 000008
【図６】
2008130002.tif 000009
【図７】
2008130002.tif 000010
【図５】
2008130002.tif 000011